(57)【要約】【課題】患部を長時間適温で温めることができ、しかも、体の動きに合わせて押圧部分が移動可能な温圧治療器を提供する。【解決手段】上部に開口部１１が形成されたケース１２と、開口部１１からその一部が突出した押圧手段１３とを有する温圧治療器１０において、押圧手段１３は、両端部がケース１２の側壁１４に回転可能に取付けられた回転軸１５と、回転軸１５に隙間を有して設けられた複数の環状体１６とを備えると共に、ケース１２はその一部に温風供給口１７を備え、温風供給口１７からケース１２内に導入された温風が各環状体１６の隙間から上方に吹き出る。【選択図】図１
0003120136.tif 000002
【実用新案登録請求の範囲】
【請求項１】
上部に開口部が形成されたケースと、前記開口部からその一部が突出した押圧手段とを有する温圧治療器において、
前記押圧手段は、両端部が前記ケースの側壁に回転可能に取付けられた回転軸と、該回転軸に隙間を有して設けられた複数の環状体とを備えると共に、前記ケースはその一部に温風供給口を備え、前記温風供給口から前記ケース内に導入された温風が前記各環状体の隙間から上方に吹き出ることを特徴とする温圧治療器。
【請求項２】
上部に開口部が形成されたケースと、前記開口部からその一部が突出した押圧手段とを有する温圧治療器において、
前記押圧手段は、両端部が前記ケースの側壁に取付けられた固定軸と、該固定軸に隙間を有して回転可能に設けられた複数の環状体とを備えると共に、前記ケースはその一部に温風供給口を備え、前記温風供給口から前記ケース内に導入された温風が前記各環状体の隙間から上方に吹き出ることを特徴とする温圧治療器。
【請求項３】
請求項１及び２のいずれか１項に記載の温圧治療器において、前記温風供給口は前記ケースの側壁に設けられた断面矩形の貫通孔からなっていることを特徴とする温圧治療器。
【請求項４】
請求項３記載の温圧治療器において、前記温風供給口には、一端部が該温風供給口に接続され、他端部が温風乾燥機の温風供給ホースに連結される継手部材が設けられていることを特徴とする温圧治療器。
【請求項５】
請求項１〜４のいずれか１項に記載の温圧治療器において、前記ケースの側壁には、該ケース内に供給された温風を吹き出す温風吹き出し口が設けられていることを特徴とする温圧治療器。
【請求項６】
請求項１〜５のいずれか１項に記載の温圧治療器において、前記環状体には、磁石、ゲルマニウム、及びトルマリンのいずれか１又は２以上が設けられていることを特徴とする温圧治療器。
【考案の詳細な説明】
【技術分野】
【０００１】
本考案は、患部を押圧すると共に、温める温圧治療器に関する。
【背景技術】
【０００２】
従来、腰痛、肩こり等には、患部を温めながら指圧する温圧治療が行われている。ここで、温圧治療器として、例えば、特許文献１には、長手方向の両側に凸部を、凸部の間に凹部を設けた枕状の本体を有し、この本体内に蓄熱材料（例えば、湯）を収容可能とした指圧器が開示されている。患者は、この指圧器の凸曲面状を呈する凸部に腰を押し付けて、凸部で患部を押圧すると共に、本体内に収容された蓄熱材料によって患部を温めて、腰痛の治療を行っている。
【０００３】
【特許文献１】特開平１１−５６９６１号公報
【考案の開示】
【考案が解決しようとする課題】
【０００４】
しかしながら、特許文献１に記載の考案では、凸部に腰等を載せて押圧する際に、体を動かして押圧部分（患部）を調整しようとしても、凸部が固定されているため難しいという問題があった。また、内部に収納した蓄熱材料が時間の経過と共に冷えてしまい、温熱効果が長時間得られ難く、更に、熱伝導で患部を温めるので、熱の伝わり方が遅く、しかも、温められる部分が狭いという問題もあった。
【０００５】
本考案はかかる事情に鑑みてなされたもので、患部を長時間適温で温めることができ、しかも、体の動きに合わせて押圧部分が移動可能な温圧治療器を提供することを目的とする。
【課題を解決するための手段】
【０００６】
前記目的に沿う第１の考案に係る温圧治療器は、上部に開口部が形成されたケースと、前記開口部からその一部が突出した押圧手段とを有する温圧治療器において、
前記押圧手段は、両端部が前記ケースの側壁に回転可能に取付けられた回転軸と、該回転軸に隙間を有して設けられた複数の環状体とを備えると共に、前記ケースはその一部に温風供給口を備え、前記温風供給口から前記ケース内に導入された温風が前記各環状体の隙間から上方に吹き出る。
【０００７】
前記目的に沿う第２の考案に係る温圧治療器は、上部に開口部が形成されたケースと、前記開口部からその一部が突出した押圧手段とを有する温圧治療器において、
前記押圧手段は、両端部が前記ケースの側壁に取付けられた固定軸と、該固定軸に隙間を有して回転可能に設けられた複数の環状体とを備えると共に、前記ケースはその一部に温風供給口を備え、前記温風供給口から前記ケース内に導入された温風が前記各環状体の隙間から上方に吹き出る。
【０００８】
第１及び第２の考案に係る温圧治療器において、前記温風供給口は前記ケースの側壁に設けられた断面矩形の貫通孔からなってもよい。
第１及び第２の考案に係る温圧治療器において、前記温風供給口には、一端部が該温風供給口に接続され、他端部が温風乾燥機の温風供給ホースに連結される継手部材を設けてもよい。
第１及び第２の考案に係る温圧治療器において、前記ケースの側壁には、該ケース内に供給された温風を吹き出す温風吹き出し口が設けられているのが好ましい。
第１及び第２の考案に係る温圧治療器において、前記環状体には、磁石、ゲルマニウム、及びトルマリンのいずれか１又は２以上が設けられてもよい。
【考案の効果】
【０００９】
請求項１及びこれに従属する請求項３〜６に記載の温圧治療器においては、両端部がケースの側壁に回転可能に取付けられた回転軸に複数の環状体が隙間を有して設けられているので、環状体に載せた体を動かす際に、環状体が体の動きに対応して回転軸と共に回転でき、体が環状体と擦れることがなく、押圧部位を調整し易い。また、ケースの一部に備えた温風供給口からケース内に導入された温風が各環状体の隙間から上方に吹き出るので、所定温度の温風を長時間かつ広範囲で患部に吹き付けることができる。
【００１０】
請求項２及びこれに従属する請求項３〜６に記載の温圧治療器においては、両端部がケースの側壁に取付けられた固定軸に複数の環状体が隙間を有して回転可能に設けられているので、環状体に載せた体を動かす際に、環状体が体の動きに対応して回転でき、体が環状体と擦れることがなく、押圧部位を調整し易い。また、ケースの一部に備えた温風供給口からケース内に導入された温風が各環状体の隙間から上方に吹き出るので、所定温度の温風を長時間かつ広範囲で患部に吹き付けることができる。
【００１１】
特に、請求項３記載の温圧治療器においては、温風供給口はケースの側壁に設けられた断面矩形の貫通孔からなっているので、ケース内に温風を効率よく供給できる。
請求項４記載の温圧治療器においては、温風供給口には、一端部が温風供給口に接続され、他端部が温風乾燥機の温風供給ホースに連結される継手部材が設けられているので、いろいろな形状の温風供給ホースを接続することができる。
請求項５記載の温圧治療器においては、ケースの側壁には、ケース内に供給された温風を吹き出す温風吹き出し口が設けられているので、患部の周囲も温めることができる。
請求項６記載の温圧治療器においては、環状体には、磁石、ゲルマニウム、及びトルマリンのいずれか１又は２以上が設けられているので、治療効果を高めることができる。
【考案を実施するための最良の形態】
【００１２】
続いて、添付した図面を参照しつつ、本考案を具体化した実施の形態につき説明し、本考案の理解に供する。
ここで、図１は本考案の一実施の形態に係る温圧治療器の正断面図、図２は同温圧治療器の側断面図、図３は同温圧治療器の平面図、図４（Ａ）〜（Ｃ）はそれぞれ同温圧治療器に接続される継手部材の正面図、側面図、平面図、図５は同温圧治療器の使用方法の説明図である。
【００１３】
図１〜図４を参照して、本考案の一実施の形態に係る温圧治療器１０について説明する。
図１〜図３に示すように、温圧治療器１０は、上部に開口部１１が形成されたケース１２と、開口部１１からその一部が突出した押圧手段１３とを有し、押圧手段１３は、両端部がケース１２の側壁１４に回転可能に取付けられた回転軸１５と、回転軸１５に隙間を有して設けられた複数、例えば、５〜１０（本実施の形態では７つ）の環状体１６とを備えると共に、ケース１２はその一部に温風供給口１７を備え、温風供給口１７からケース１２内に導入された温風が各環状体１６の隙間から上方に吹き出るようになっている。以下、詳しく説明する。
【００１４】
温圧治療器１０のケース１２は、例えば、耐熱性を有する硬質合成樹脂であるポリカーボネート（又はＡＢＳ、ポリプロピレン等でもよい）によって形成されている。なお、ケースは、ポリカーボネート以外の耐熱性を有する硬質合成樹脂（例えば、熱可塑性樹脂又は熱硬化性樹脂）、木、セラミック、又は金属等で形成してもよい。ケース１２は、例えば、平面視して矩形の底板１８と、底板１８の短辺側に垂直に立設配置される側板１９、２０及び底板１８の長辺側にケース１２の内側に向かって傾斜して配置される側板２１、２２とからなる側壁１４とを有し、側壁１４の上部に開口部１１が形成されている。また、側壁１４の外側上部は面取りされている。
【００１５】
ここで、ケース１２は、図１〜図３に示すように、例えば、幅ａが１４０〜２６０ｍｍ、下部の奥行きｂが６０〜１２０ｍｍ、上部の奥行きｃが３５〜７０ｍｍ、高さｈが３５〜７０ｍｍ程度（本実施の形態では、幅ａが２００ｍｍ、下部の奥行きｂが９０ｍｍ、上部の奥行きｃが５５ｍｍ、高さｈが５５ｍｍ）であり、開口部１１は、幅ｗが１２０〜２２０ｍｍ、奥行きｅが２５〜５０ｍｍ程度（本実施の形態では、幅ｗが１７０ｍｍ、奥行きｅが３８ｍｍ）となっている。
【００１６】
また、側板１９、２０には、押圧手段１３の回転軸１５を回転可能に取付ける軸受孔２３、２４がそれぞれ対向して設けられ、側板１９には、例えば、幅ｆが３５〜７０ｍｍ、高さｇが９〜１７ｍｍ程度（本実施の形態では、幅ｆが５５ｍｍ、高さｇが１３ｍｍ）に形成された断面矩形の貫通孔からなる温風供給口１７が設けられている。また、側板２１、２２には、例えば、幅ｊが３０〜６０ｍｍ、高さｋが２〜６ｍｍ程度（本実施の形態では、幅ｊが４８ｍｍ、高さｋが４ｍｍ）に形成された断面矩形の貫通孔からなる温風吹き出し口２５、２６がそれぞれ設けられている。
【００１７】
押圧手段１３の回転軸１５は、例えば、直径が５〜１２ｍｍ程度（本実施の形態では、直径が８ｍｍ）の金属製の棒状部材（又は環状部材）で形成され、その両端部がケース１２の側壁１４の側板１９、２０の軸受孔２３、２４に回転可能に取付けられている。回転軸１５の両端には回転軸１５がケース１２から外れないようにストッパ２７、２８がそれぞれ取付けられている。なお、この実施の形態においては、回転軸１５として長尺のボルトが設けられ、ストッパ２７はこのボルトに螺合する雌ねじ、ストッパ２８はボルトヘッドによって形成されている。なお、回転軸は、十分な強度を有する木又はセラミック等で形成してもよい。
【００１８】
また、回転軸１５には、例えば、耐熱性を有する硬質合成樹脂（例えば、ポリカーボネート）で形成された直径が２５〜５５ｍｍ、厚みが８〜２０ｍｍ程度（本実施の形態では、直径が４０ｍｍ、厚みが１３ｍｍ）の７つの環状体１６が、開口部１１からその一部が、例えば、５〜１０ｍｍ程度（本実施の形態では８ｍｍ）突出するように取付けられている。環状体１６は、回転軸１５と共に回転可能となっている。
【００１９】
更に、隣り合う環状体１６の間の回転軸１５には、環状体１６よりも小径、例えば、１４〜２６ｍｍ程度（本実施の形態では２０ｍｍ）で、所定の幅、例えば、９〜１７ｍｍ程度（本実施の形態では１３ｍｍ）に形成された金属製のスペーサ（カラー）２９が配置されている。スペーサ２９によって、環状体１６間の距離が、例えば、９〜１７ｍｍ程度（本実施の形態では１３ｍｍ）となるように調整することができる。ここで、スペーサ２９が環状体１６よりも小径であるので、ケース１２の開口部１１に形成される環状体１６間の隙間から温風が上方に吹き出るようになっている。なお、環状体は、ポリカーボネート以外の耐熱性を有する硬質合成樹脂、セラミック、金属、木、弾性部材（ゴム）等で形成してもよく、スペーサは、硬質合成樹脂、セラミック、木、金属で形成してもよい。
【００２０】
また、温圧治療器１０の温風供給口１７には、ケース１２内に供給する温風を発生する図示しない温風乾燥機（例えば、布団乾燥機）の図示しない温風供給ホースと接続するために、図４（Ａ）〜（Ｃ）に示す耐熱性を有する硬質合成樹脂、例えば、ポリカーボネート製の継手部材３０が設けられている。継手部材３０は、一端部に温風供給口１７に挿入して接続される温風供給口接続部３１と、他端部に温風乾燥機の温風供給ホースに連結されるホース接続部３２とを備えている。なお、継手部材は、ポリカーボネート以外の耐熱性を有する硬質合成樹脂、セラミック、又は金属等で形成してもよい。継手部材のホース接続部を温風供給ホースのサイズに合わせて複数製造することにより、いろいろな形状の温風供給ホースと接続することができる。また、継手部材のホース接続部に、温風供給ホースのサイズに合わせたアダプタを取付けてもよい。
【００２１】
次に、図５を参照して、温圧治療器１０の使用方法について説明する。なお、図５において、継手部材３０のホース接続部３２に接続される温風供給ホース及び温風乾燥機は省略されている。
温圧治療器１０をケース１２の開口部１１を上側にして床面Ａに配置する。温圧治療器１０の温風供給口１７に継手部材３０の温風供給口接続部３１を挿入して取付け、継手部材３０のホース接続部３２に温風乾燥機の温風供給ホースを接続し、温風乾燥機を作動させて、所定温度（例えば、３７〜６０℃、更に詳細には、例えば３８〜４２℃）の温風をケース１２内に供給する。供給された温風は、ケース１２の開口部１１に形成された環状体１６間の隙間及び温風吹き出し口２５、２６から吹き出る。
【００２２】
例えば、腰痛の患者Ｂは、環状体１６の上部に患部（腰）Ｃが当たるように床面Ａに仰向けになり、患部Ｃを環状体１６に押し付けて押圧すると共に、ケース１２の開口部１１に形成された隙間から吹き出す温風によって患部Ｃを温めて温圧治療を行う。この際には温風吹き出し口２５、２６からも温風が吹き出るので、患部Ｃ以外も温めることができ、患部Ｃの周囲の血行をよくすることができる。患者Ｂが患部Ｃの周囲を押圧する場合、体を水平移動すればよく、その際には環状体１６が体の動きに対応して回転軸１５と共に回転するので、体が環状体１６と擦れることなく、広範囲を治療することができる。また、うつ伏せになった患者Ｂに温圧治療器１０を押し付けて温圧治療を行ってもよい。更に、椅子等の背もたれに設置した温圧治療器１０に腰を押し付けてもよい。
【００２３】
本考案は、前記した実施の形態に限定されるものではなく、本考案の要旨を変更しない範囲での変更は可能であり、例えば、前記した実施の形態や変形例の一部又は全部を組み合わせて本考案の温圧治療器を構成する場合も本考案の権利範囲に含まれる。
例えば、前記実施の形態の温圧治療器において、ケースの側壁に回転可能に取付けた回転軸の回転に伴って環状体を回転させたが、ケースの側壁に取付けられた固定軸に回転可能に環状体を取付けて、環状体のみを回転させてもよい。
【００２４】
更に、環状体には、磁石、ゲルマニウム、及びトルマリンのいずれか１又は２以上が設けられてもよく、この際には、環状体に磁石、ゲルマニウム、及びトルマリンの粉状物又は粒状物を埋設してもよく、環状体を磁石で形成してもよい。また、本考案の温圧治療器は、腰痛の治療、緩和に好適に使用できるが、肩、脊髄等の筋肉の萎縮、こり等の治療を行うこともできる。
また、温圧治療器を硬質合成樹脂で形成する場合には、ポリカーボネート以外に、フェノール樹脂、メラミン樹脂、エポキシ樹脂等の熱硬化性樹脂や、ガラス繊維強化ポリエステル、ポリフェニレンオキサイド樹脂、ポリアセタール、ポリプロピレン、ＡＢＳ樹脂等の比較的耐熱温度の高い熱可塑性樹脂が使用できる。
【図面の簡単な説明】
【００２５】
【図１】本考案の一実施の形態に係る温圧治療器の正断面図である。
【図２】同温圧治療器の側断面図である。
【図３】同温圧治療器の平面図である。
【図４】（Ａ）〜（Ｃ）はそれぞれ同温圧治療器に接続される継手部材の正面図、側面図、平面図である。
【図５】同温圧治療器の使用方法の説明図である。
【符号の説明】
【００２６】
１０：温圧治療器、１１：開口部、１２：ケース、１３：押圧手段、１４：側壁、１５：回転軸、１６：環状体、１７：温風供給口、１８：底板、１９〜２２：側板、２３、２４：軸受孔、２５、２６：温風吹き出し口、２７、２８：ストッパ、２９：スペーサ、３０：継手部材、３１：温風供給口接続部、３２：ホース接続部
【図１】
0003120136.tif 000003
【図２】
0003120136.tif 000004
【図３】
0003120136.tif 000005
【図４】
0003120136.tif 000006
【図５】
0003120136.tif 000007